(57)【要約】      （修正有）【課題】吐出内容物の飛散抑制と吐出分布の均一化を図るとともに、通常の櫛歯のみのブラシに近い使用感を備えた内容物吐出用ブラシ機構を提供する。【解決手段】容器本体から内容物が供給される通路部２の長手方向に、複数の筒状基部２２ａ〜２５ａおよびこれに続くノズル２２〜２５をそれぞれ形成し、これらノズルの周面部分を内容物吐出方向のノズル先端側が広い複数の略Ｖ形状スリット２２ｃ〜２５ｃで分離された態様の先割れ部２２ｂ〜２５ｂにする。【選択図】図１
2006346202.tif 000002
【特許請求の範囲】
【請求項１】
容器本体から内容物が供給される鞘状通路部の長手方向に複数の出力側開口域およびこれに続くノズルをそれぞれ形成した内容物吐出用ブラシ機構において、
前記ノズルは、その周面部分が内容物吐出方向の複数のスリットで分離された態様の先割れ形状になっている、
ことを特徴とする内容物吐出用ブラシ機構。
【請求項２】
前記スリットは、前記出力側開口域から遠いノズル先端側の方が当該出力側開口域に近いノズル基部側よりも幅広に設定された略V形状のものである、
ことを特徴とする請求項１記載の内容物吐出用ブラシ機構。
【請求項３】
請求項１または２記載の内容物吐出ブラシ機構を備え、かつ、容器本体内部に内容物を収容した、
ことを特徴とするポンプ式製品。
【請求項４】
請求項１または２記載の内容物吐出ブラシ機構を備え、かつ、容器本体内部に放出用ガスおよび内容物を収容した、
ことを特徴とするエアゾール式製品。
【発明の詳細な説明】
【技術分野】
【０００１】
本発明は、容器本体から内容物が供給される鞘状通路部の長手方向に複数の出力側開口域およびこれに続くノズルをいわば飛び飛びに形成した内容物吐出用のブラシ機構や、このブラシ機構を持つポンプ式製品およびエアゾール式製品に関する。
【０００２】
特にノズルの形状を、そこから吐出される内容物の飛散の程度を抑えながら毛髪下端側への十分な内容物供給を確保するとともに、櫛歯としての作用も期待できるようにした、内容物吐出ブラシ機構を対象とする。
【０００３】
本明細書においては内容物吐出用のノズルの出力側を「前・先」と記し、それの反対側を「後」と記す。すなわち図１の左側方向が「前・先」で、右側方向が「後」となる。
【０００４】
また、「ポンプ式」の用語は、利用者が、操作部や、容器の一部（周面部分など）などを例えば押圧することにより内容物収納空間の容積が小さくなって、その中の内容物が外部空間に放出される方式を示し、いわゆる押出式，チューブ式なども含む概念である。
【０００５】
本発明の適用対象内容物は、例えば泡状，液状，ゲル状の毛髪用化粧料，染毛剤，ヘアスタイリング剤，ヘアトリートメント剤，育毛剤などである。
【背景技術】
【０００６】
ブラシ本体の鞘状通路部の長手方向に形成した複数のノズルから吐出される内容物（毛髪化粧用泡状物など）の飛散防止用部材を設けた内容物吐出用のブラシ機構としては、例えば下記の特許文献で開示のものがある。
【０００７】
このブラシ機構（吐出装置）は、概略、
(1) ブラシ本体側の、
・鞘状通路部（毛髪化粧用泡状物用流体供給通路２)
・この鞘状通路部の長手方向に形成された複数のノズル（通孔用突出部６）
(2) 櫛歯本体側の、
・上記ノズルの列全体が入り込む単一の長手方向開口部
・この長手方向開口部を跨ぎ、かつ上記ノズルのそれぞれと対向する態様の飛散防止用の逆Ｕ字状部（毛髪化粧用泡状物用拡散式構造体１２）
・この逆Ｕ字状部よりも背が高く設定された多数の櫛歯（櫛歯形成用突出部分７）
などからなっている。
【０００８】
複数のノズル（通孔用突出部６）から吐出される泡状物は、すぐ前方に位置する逆Ｕ字状部（毛髪化粧用泡状物用拡散式構造体１２）にぶつかって逆方向へと流れることができ、飛散することなしにノズルと逆Ｕ字状部との隙間部分に保持される。
【特許文献１】特開平９−２２４７３５号公報
【発明の開示】
【発明が解決しようとする課題】
【０００９】
このように、従来の飛散防止用部材を設けた内容物吐出用のブラシ機構は、ノズルから吐出される内容物（泡状物）を逆Ｕ字状部材でいわば押さえつけながらその流れ方向を無理やりに逆方向へと変えようとしている。
【００１０】
そのため、吐出内容物分布が不均一になりやすく、利用者の毛髪下端側部分に吐出内容物が十分には行きにくいなどの問題点があった。
【００１１】
さらには利用者の毛髪が逆Ｕ字状部材に巻き付きやすく、また逆Ｕ字状の当該部材に本来の櫛歯に近い作用は期待できないので、このブラシ機構を頭髪部分に使用する利用者は通常の櫛歯のみのブラシとは違った感じ（異物感）を持ちやすく、いま一つ使い勝手が悪いという問題点があった。
【００１２】
そこで、本発明では、ブラシのノズル出口の対向部分にはいわゆる邪魔板（逆Ｕ字状部材）を一切設けずに、ノズルを、その周面部分に長手方向のスリットが複数形成された態様の先割れ形状にし、すなわちノズルを通常の櫛歯と略同じ方向の複数の起立部分からなる形にしている。
【００１３】
これにより、ノズルから吐出される内容物の流れ方向そのものは積極的に変えないまま、ノズルに流入してきた内容物が当該スリットを介して横方向にも移動するようにして、吐出内容物全体の飛散の程度を抑えつつ、ブラシ面全体の吐出内容物分布の均一化および毛髪下端側部分への十分な内容物供給を確保するとともに、利用者に対して通常の櫛歯のみのブラシに近い使用感を与えることを目的とする。
【課題を解決するための手段】
【００１４】
本発明はこれらの課題を次のようにして解決する。
（１）容器本体から内容物が供給される鞘状通路部（例えば後述の通路部２１）の長手方向に複数の出力側開口域（例えば後述の筒状基部２２ａ〜２５ａ）およびこれに続くノズル（例えば後述のノズル２２〜２５）をそれぞれ形成した内容物吐出用ブラシ機構において、当該ノズルを、その周面部分が内容物吐出方向の複数のスリット（例えば後述のスリット２２ｃ〜２５ｃ）で分離された態様の先割れ形状（例えば後述の先割れ部２２ｂ〜２５ｂ）のものにする。
（２）上記（１）において、前記スリット（例えば後述のスリット２２ｃ〜２５ｃ）を、前記出力側開口域（例えば後述の筒状基部２２ａ〜２５ａ）から遠いノズル先端側の方が当該出力側開口域に近いノズル基部側よりも幅広に設定された略V形状のものにする。
【００１５】
本発明は、このような構成からなる内容物吐出用ブラシ機構および、このブラシ機構を備えたポンプ式製品やエアゾール式製品を対象としている。
【発明の効果】
【００１６】
このように、本発明の内容物吐出用ブラシ機構の場合、通常の櫛歯と略同じ方向の複数の起立部分からなる先割れ形状のノズルを用いているので、
(11) ノズルへの流入内容物が先割れのスリット部分から横方向にも移動して、吐出内容物全体の飛散の程度を抑えながら毛髪下端側部分への十分な内容物供給を確保し、またブラシ面全体の吐出内容物分布の均一化を図ることができ、
(12) 利用者に対して通常の櫛歯のみのブラシに近い使用感を与えることができる、
などの作用効果を奏している。
【発明を実施するための最良の形態】
【００１７】
図１乃至図３を用いて本発明を実施するための最良の形態を説明する。
【００１８】
ここで、
図１は、ブラシ機構を容器側に取り付けたときの断面を示す説明図であり、
図２は、図１のブラシ機構のノズル部分を拡大した状態を示す説明図であり、
図３は、図１のブラシ機構の正面を示す説明図である。
【００１９】
これらの図において、
１は後述のブラシ本体２と櫛部本体３とを一体にした形の内容物吐出用のブラシ機構，
２は容器側（ポンプ式容器，エアゾール式容器）の周知のポンプ機構やバルブ機構（図示省略）に取り付けられたブラシ本体，
２１はポンプ機構やバルブ機構の作動モードにおいて容器側から毛髪用化粧料，染毛剤，ヘアスタイリング剤，ヘアトリートメント剤，育毛剤などの内容物が流入する鞘状の通路部，
２２〜２５は当該通路部の長手方向（図１の上下方向）にその上側からインライン状に形成された前後方向（図１の左右方向）のノズル，２２ａ〜２５ａは当該ノズルそれぞれの上流域となる筒状基部，２２ｂ〜２５ｂは当該筒状基部に続く先割れ部，２２ｃ〜２５ｃは当該先割れ部をそれぞれ形成する四個のＶ形状のスリット，
２６は後述の櫛部本体３を取り付ける際に後述の孔部３７を案内して保持するための上下一対の棒状ガイド，
２７は後述の環状突部３７と係合状態の環状段部，
３はブラシ本体に取り付けられた小判状（正面）の櫛部本体，
３１は櫛部本体の表面部分に形成された多数の櫛歯，
３２〜３５は当該櫛部本体をブラシ本体２に取り付ける際にノズル２２〜２５のそれぞれに案内されるノズル用孔部，
３６は当該櫛部本体をブラシ本体２に取り付ける際にガイド棒２６に案内される上下一対の棒状ガイド用孔部，
３７はブラシ本体２の環状段部２７と係合状態の環状突部，
４はポンプ式製品やエアゾール式製品の容器，
５は操作ボタン，
をそれぞれ示している。
【００２０】
ここで、ノズル２２〜２５の筒状基部２２ａ〜２５ａにおける入口側開口面積は、通路部２１の下流側（図１の上側）にいくほど大きく設定されている。
【００２１】
これは、下流側のノズルほど内容物の流速，圧力などが低下して単位時間あたりの内容物通過量が減少するのをいわば補償して、ノズル２２〜２５のそれぞれからの内容物流出量を一様にするためである。
【００２２】
筒状基部２３ａ〜２５ａの内周面は、それぞれの入口側から出口側（＝先割れ部２３ｂ〜２５ｂとの接続部分）に向かう円錐台周面となるように形成されている。これにより通路部２１から流入した内容物が当該筒状基部をスムーズに移動していく。
【００２３】
また、先割れ部２２ｂ〜２５ｂおよびスリット２２ｃ〜２５ｃの内容物通過用面積（＝図１の上下方向の断面積）がともに下流側にいくほど大きくなっている。そのため、筒状基部２２ａ〜２５ａからの流入内容物は、当該先割れ部の先端側にいくほど速度が低下しながら、ノズル２２〜２５の先端開口部から吐出されるとともに、当該スリットを経てその周囲の多数の櫛歯３１の方へと流れていく。なお、先割れ部２２ｂ〜２５ｂの外径はそれぞれ筒状基部から先端部分まで略同一である。
【００２４】
そして、櫛歯３１をノズル２２〜２５よりも高く形成し、当該各ノズルの先端開口部の対向域には内容物の流れを阻止する部材を設けていないので、当該先端開口部およびスリット２２ｃ〜２５ｃから吐出される内容物が比較的均一な分布となり、利用者の毛髪の根っ子の側にもいきわたる。また、スリット２２ｃ〜２５ｃから内容物が周囲横方向へと流出するので、当該ノズルの先端開口部からのいわば直噴にともなう飛散の程度も小さくなる。
【００２５】
また、ノズル２２〜２５の先割れ部２２ｂ〜２５ｂはそれぞれ４本の櫛歯のように作用するので、このノズル形状にともなう利用者のブラシ使用時の違和感も少ない。
【００２６】
なお、ブラシ本体２，櫛部本体３や操作ボタン５などは、例えばポリプロピレン，ポリエチレン，ポリアセタール，ナイロン，ポリブチレンテレフタレートなどからなるプラスチック製のものである。
【００２７】
本発明の内容物吐出用ブラシ機構が図示の形態に限定されるものでないことは勿論であり、例えばノズル２２〜２５の先割れ部側を櫛部本体の方に形成してもよく、また、何個のノズルを設けるか、各ノズルに何箇所のスリットを形成するかなどは任意である。スリットの形状も任意であり例えばＵ形状でもよい。
【００２８】
図示のブラシ機構を使用するとき操作ボタン５を押圧すればよい。
【００２９】
この押圧操作により容器側（ポンプ式容器，エアゾール式容器）の周知のポンプ機構やバルブ機構（図示省略）が動作し、容器４に収納されている内容物が通路部２１およびノズル２２〜２５に流入してブラシ表面側（利用者の頭髪側）へと吐出される。
【００３０】
本発明が適用されるポンプ式製品やエアゾール式製品の内容物の種類は、染毛剤，ヘアスタイリング剤，ヘアトリートメント剤，育毛剤，化粧品などである。
【００３１】
具体的な内容物としては例えば、
・パラフェニレンジアミン，フェニレンジアミン，アミノフェノール，メタアミノフェノール，メタフェニレンジアミン，パラペン，染料等
・過酸化水素，セタノール等
・オレイン酸，イソプロピルアルコール，トルエン−2.5−ジアミン硫酸塩，ｍ−フエニレンジアミン，2.4−ジアミンフェノール塩酸塩，チオグリコール酸アンモニウム，アンモニア水，精製水等
・パラフェニレンジアミン，パラアミノフェノール，オルトアミノフェノール，レゾルシン，ＰＲＯＤ，Ｄ−グリコース，プロピレングリコール，チオグリコール酸，リン酸塩緩衝液ュニユウニウムェノール等
などを用いる。
【００３２】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００３３】
【図１】ブラシ機構を容器側に取り付けたときの断面を示す説明図である。
【図２】図１のブラシ機構のノズル部分を拡大した状態を示す説明図である。
【図３】図１のブラシ機構の正面を示す説明図である。
【符号の説明】
【００３４】
１：内容物吐出用のブラシ機構
２：ブラシ本体
２１：鞘状の通路部
２２〜２５：ノズル
２２ａ〜２５ａ：先割れ部
２２ｃ〜２５ｃ：Ｖ形状のスリット
２６：上下一対の棒状ガイド
２７：環状段部
３：櫛部本体
３１：多数の櫛歯
３２〜３５：ノズル用孔部
３６：棒状ガイド用孔部
３７：環状突部
４：容器
５：操作ボタン
【図１】
2006346202.tif 000003
【図２】
2006346202.tif 000004
【図３】
2006346202.tif 000005